(57)【要約】【課題】引き出された電線が屈曲等された状態でのシール性の向上を図ることができる接続端子を提供する。【解決手段】相手端子が接続される端子接続部２と、電線Ｗが加締め固定された電線接続部１０とを備え、電線接続部１０より露出された電線Ｗの箇所が半田２５によって被覆された接続端子１であって、電線Ｗの外周に弾性材１６が配置され、電線Ｗが弾性材１６を介在させて電線接続部１０に加締め固定された。【選択図】図２
2013211208.tif 000002
【特許請求の範囲】
【請求項１】
相手端子が接続される端子接続部と、電線が加締め固定された電線接続部とを備え、前記電線接続部より露出された前記電線の箇所が防食材によって被覆された接続端子であって、
前記電線の外周に弾性材が配置され、前記電線が前記弾性材を介在させて前記電線接続部に加締め固定されたことを特徴とする接続端子。
【請求項２】
請求項１に記載の接続端子であって、
前記電線接続部の内面には、セレーションが設けられたことを特徴とする接続端子。
【請求項３】
請求項１又は請求項２に記載の接続端子であって、
前記電線接続部は、前記電線の露出された導体と前記導体の外周を被う絶縁外皮とを共に加締める一対の加締め片を有すると共に、前記防食材は、半田であり、前記半田は、一対の前記加締め片より露出された前記導体の外面と一対の前記加締め片の隙間を被覆することを特徴とする接続端子。
【発明の詳細な説明】
【技術分野】
【０００１】
本発明は、端子接続部と電線接続部を備え、電線接続部より露出された電線を防食材によって被覆する接続端子に関する。
【背景技術】
【０００２】
この種の従来の接続端子としては、特許文献１に開示されたものがある。この接続端子５０は、図３〜図５に示すように、相手端子が接続される端子接続部５１と、電線Ｗが接続された電線接続部５２と、端子接続部５１と電線接続部５２の間を連結する首部５３とを備えている。電線接続部５２は、一対の加締め片５２ａを有する。この一対の加締め片５２ａによって電線Ｗの露出された導体６０の箇所と絶縁外皮６１の箇所が共に加締め固定されている。電線接続部５２の内面には、複数のセレーション５２ｂが設けられている。電線接続部５２の箇所で、電線Ｗまで浸水可能性のある箇所は、防食材である半田５５によって被覆されている。具体的には、半田５５は、一対の加締め片５２ａより先端側に突き出た導体６０と一対の加締め片５２ａの隙間を覆うように設けられている。
【０００３】
前記従来例によれば、接続端子５０が被水しても、電線接続部５２の前端側及び上方から導体６０への浸水を半田５５によって阻止し、電線接続部５２の後端側と電線Ｗの絶縁外皮６１との隙間からの浸水をセレーション５２ｂによって阻止し、電線Ｗの導体６０が被水するのを防止している。導体６０がアルミニウム導体である場合には、ガルバニック腐食を防止している。つまり、半田５５とセレーション５２ｂによって止水性の向上や防食性の向上が図られている。
【先行技術文献】
【特許文献】
【０００４】
【特許文献１】特開２０１１−２１６２５３号公報
【発明の概要】
【発明が解決しようとする課題】
【０００５】
しかしながら、前記従来例の接続端子５０では、引き出された電線Ｗが屈曲等された状態でのシール性が低下するため、止水性や防食性が低下するという問題があった。つまり、電線Ｗが屈曲されると、屈曲箇所の外側位置に位置する電線接続部５２と電線Ｗとの間に隙間ができる可能性があり、その隙間より浸水するためである。
【０００６】
そこで、本発明は、前記した課題を解決すべくなされたものであり、引き出された電線が屈曲等された状態でのシール性の向上を図ることができる接続端子を提供することを目的とする。
【課題を解決するための手段】
【０００７】
本発明は、相手端子が接続される端子接続部と、電線が加締め固定された電線接続部とを備え、前記電線接続部より露出された前記電線の箇所が防食材によって被覆された接続端子であって、前記電線の外周に弾性材が配置され、前記電線が前記弾性材を介在させて前記電線接続部に加締め固定されたことを特徴とする接続端子である。
【０００８】
前記電線接続部の内面には、セレーションが設けられることが好ましい。前記電線接続部は、前記電線の露出された導体と前記導体の外周を被う絶縁外皮とを共に加締める一対の加締め片を有すると共に、前記防食材は、半田であり、前記半田は、一対の前記加締め片より露出された前記導体の外面と一対の前記加締め片の隙間を被覆するものを含む。
【発明の効果】
【０００９】
本発明によれば、電線の絶縁外皮と電線加締め部の間に弾性材が介在されているため、引き出された電線が屈曲されても、電線の屈曲箇所の外側位置では電線と電線加締め部の間には水が浸入する隙間が容易にはできない。従って、引き出された電線が屈曲等された状態でのシール性の向上、ひいては、止水性や防食性の向上を図ることができる。
【図面の簡単な説明】
【００１０】
【図１】本発明の一実施形態を示し、接続端子の斜視図である。
【図２】本発明の一実施形態を示し、（ａ）は接続端子の側面図、（ｂ）は接続端子の断面図、（ｃ）は（ａ）のＡ−Ａ線断面図である。
【図３】従来例を示し、接続端子の半田塗布前の要部斜視図である。
【図４】従来例を示し、接続端子の要部斜視図である。
【図５】従来例を示し、接続端子の要部断面図である。
【発明を実施するための形態】
【００１１】
以下、本発明の実施形態を図面に基づいて説明する。
【００１２】
（一実施形態）
図１及び図２は本発明の一実施形態を示す。図１及び図２に示すように、接続端子１は、相手端子（図示せず）が接続される端子接続部２と、電線Ｗが接続された電線接続部１０と、端子接続部２と電線接続部１０の間を連結する首部２０とを備えている。端子接続部２、電線接続部１０及び首部２０は、導電性金属板である銅合金製の所定形状の板を折り曲げることによって形成される。
【００１３】
端子接続部２は、四角形の筒部３と、この筒部３内に配置された弾性接触片部（図示せず）とを有する。筒部３に相手端子が挿入されると、相手端子が弾性接触片部の撓み復帰力によって密着され、電気的に接続される。
【００１４】
電線接続部１０は、底面壁１１とこの底面壁１１の両方の側端より突設された一対の側面壁１２と、この各側面壁１２より突設された一対の加締め片１３とを備えている。底面壁１１と一対の側面壁１２の内面には、複数のセレーション１１ａが設けられている。各セレーション１１ａは、電線Ｗの軸方向に直交する方向にそれぞれ延びている。
【００１５】
各加締め片１３は、導体加締め部１３ａとこれに連続して設けられた外皮加締め部１３ｂとから構成されている。各加締め片１３は、前方側の導体加締め部１３ａより後方側の外皮加締め部１３ｂの突出長さが長く設定されている。一対の加締め片１３は、前方側の導体加締め部１３ａで電線Ｗのアルミニウム製の導体３０（以下、アルミニウム導体３０という）を、後方側の外皮加締め部１３ｂで電線Ｗの絶縁外皮３１を弾性材１６を介在して加締め固定している。つまり、一対の加締め片１３は、電線Ｗのアルミニウム導体箇所と絶縁外皮３１箇所を一体として加締め固定する。弾性材１６は、一対の加締め片１３と電線Ｗの絶縁外皮３１より圧縮力を受け圧縮変形されている。弾性材１６は、例えばシリコーンゴムからなるリング形状であり、加締め作業前に電線Ｗの絶縁外皮３１の外周に予め嵌められている。一対の加締め片１３は、その互いの先端部が突き合わされた状態で加締められている（図２（ｃ）参照）。
【００１６】
首部２０は、底面壁２１とこの底面壁２１の両側端より立設された一対の側面壁２２とを有する。底面壁２１と一対の側面壁２２は、端子接続部２と電線接続部１０の各壁より連続して形成されている。
【００１７】
電線接続部１０の箇所で、電線Ｗまで浸水可能性のある箇所は、防食材である半田２５によって被覆されている。具体的には、半田２５は、一対の加締め片１３より露出されたアルミニウム導体と一対の加締め片１３の隙間を覆うように設けられている。塗布された半田２５は、半田コテによって溶融状態のものを塗布するか、半田ペーストを塗布して熱を加えるかして付着される。
【００１８】
上記構成の接続端子１において、電線加締め部１３と電線Ｗの絶縁外皮３１の間に弾性材１６が介在されているため、引き出された電線Ｗが屈曲されても、電線接続部１０と電線Ｗの絶縁外皮３１との間に水が浸入する隙間が容易にはできない。詳細には、屈曲箇所の外側に位置する弾性材１６の箇所が電線加締め部１３と電線Ｗの絶縁外皮３１の間で出来る隙間を埋めるように弾性復帰方向に変形する。従って、引き出された電線Ｗが屈曲等された状態でのシール性の向上を図ることができる。これにより、この実施形態では、導体がアルミニウム導体３０であるため、防食性の向上を図ることができる。導体が銅製の場合には、止水性の向上を図ることができる。
【００１９】
電線Ｗの外周に弾性材１６を装着する作業は、自動機での処理が可能であるため、生産性を維持しつつシール性の向上を図ることができる。
【００２０】
電線接続部１０の内面には、セレーション１１ａが設けられているので、シール性の更なる向上が図られる。又、電線Ｗの固定力の向上も図られる。
【００２１】
（変形例）
前記実施形態では、電線接続部１０の内面には、セレーション１１ａが設けられているが、セレーション１１ａを設けなくても良い。
【００２２】
前記実施形態では、防食材は、半田２５であるが、グリス、ホットメルト等にあっても良い。
【００２３】
前記実施形態では、導体はアルミニウム導体３０であるが、銅導体等であっても良いことはもちろんである。
【符号の説明】
【００２４】
１  接続端子
２  端子接続部
１０  電線接続部
１１ａ  セレーション
１３  加締め片
１６  弾性材
２５  半田（防食材）
３０  アルミニウム導体（導体）
３１  絶縁外皮
【図１】
2013211208.tif 000003
【図２】
2013211208.tif 000004
【図３】
2013211208.tif 000005
【図４】
2013211208.tif 000006
【図５】
2013211208.tif 000007